(57)【要約】【課題】本発明は加湿装置に関するもので、静電霧化手段の負イオン化された微細水滴の発生量を減らすことなく、加湿装置の運転音の低減をすることができる。【課題手段】そしてこの目的を達成するために本発明は、吸気口２と排気口３を有する本体ケース１と、この本体ケース１内で、吸気口２から排気口３に送風される送風路に加湿手段５と送風手段９とを設け、この送風手段９はケーシング１０に電動機１１を設け、この電動機１１の回転軸にシロッコファン１２を備え、排気口３近傍のケーシングに静電霧化手段１３を設けた構成とし、この静電霧化手段１３は風上側に吸込口を１４備え、風下側に吹出口１５を備え、吹出口１５と吸込口１４とが連通した連通路１６で、吹出口１５に対向する位置に静電霧化部１７を設け、吹出口１５は略円筒形で風下側に切欠き部１８を有する加湿装置。【選択図】図１
2010101505.tif 000002
【特許請求の範囲】
【請求項１】
吸気口と排気口を有する本体ケースと、この本体ケース内で、前記吸気口から前記排気口に送風される送風路に設けられた加湿手段と送風手段とを備え、この送風手段はケーシングと、このケーシングに設けられた電動機と、この電動機の回転軸に設けられたシロッコファンとにより形成し、前記排気口近傍の前記ケーシングに静電霧化手段を備え、この静電霧化手段は風上側に設けられた吸込口と、風下側に設けられた吹出口と、前記吹出口と前記吸込口とが連通した連通路で、前記吹出口に対向する位置に設けられた静電霧化部とにより形成し、前記吹出口は略円筒形で風下側に切欠き部を有する加湿装置。
【請求項２】
静電霧化手段の前記吹出口は、前記ケーシングの吹出風路の内面より内側水平方向に突出した請求項１に記載の加湿装置。
【請求項３】
静電霧化手段の前記吹出口の前記切欠き部は、前記ケーシングの前記吹出風路の内面から所定の距離を有した位置から先端方向に広がった略台形形状である請求項２に記載の加湿装置。
【請求項４】
静電霧化手段の前記吹出口の風上側に略円弧形状の風向部を有する請求項１〜３のいずれかに記載の加湿装置。
【請求項５】
静電霧化手段の前記吸込口は、前記ケーシングの吹出風路の内面より内側方向に突出し、下面に開口を備えた請求項１〜４のいずれかに記載の加湿装置。
【請求項６】
静電霧化手段の前記吸込口の前記開口は、前記ケーシングの吹出風路の内面の隣り合う２面と、この２面を繋ぐ傾斜面部により形成された請求項５に記載の加湿装置。
【請求項７】
静電霧化手段の前記吹出口と前記吸込口とは風向と平行である一直線上に設けた請求項１〜６のいずれかに記載の加湿装置。
【請求項８】
静電霧化手段は前記ケーシングの前記電動機の固定面と同一面である吹出風路の内面に前記吹出口を設けた請求項１〜７のいずれかに記載の加湿装置。
【発明の詳細な説明】
【技術分野】
【０００１】
本発明は給水した加湿フィルターに通風することにより室内を加湿すると共に、静電霧化手段を搭載した加湿装置に関する。
【背景技術】
【０００２】
従来のこの種の構成は以下のようになっていた。
【０００３】
すなわち、図９〜１１に示すように、吸気口１０２と排気口１０３を有する本体ケース１０１と、この本体ケース内で、前記吸気口から前記排気口に送風される送風路１０４に加湿手段１０５と送風手段１０６とを設け、この送風手段はケーシング１０７に電動機１０８を設け、この電動機の回転軸にシロッコファン１０９を備え、前記排気口近傍の前記ケーシングに静電霧化手段１１０を設けた構成となっていた。
【特許文献１】特開２００８−２９９７３号公報
【発明の開示】
【発明が解決しようとする課題】
【０００４】
上記従来例における課題は、加湿装置の弱運転時において、静電霧化手段により負イオン化された微細水滴が発生する際の発生音が大きいということであった。
【０００５】
そこで、従来は静電霧化手段に消音手段を設け、静電霧化手段の運転音を低減しようとしているが、その消音手段により、負イオン化された微細水滴の発生量が低減し、また、送風手段によって送風される加湿された空気が消音手段に当たることにより、新たな風切り音が発生し、加湿装置の運転音が大きくなる要因であった。
【０００６】
そこで本発明は、静電霧化手段の負イオン化された微細水滴の発生量を減らすことなく、加湿装置の運転音の低減を目的とするものである。
【課題を解決するための手段】
【０００７】
そしてこの目的を達成するために本発明は、吸気口と排気口を有する本体ケースと、この本体ケース内で、前記吸気口から前記排気口に送風される送風路に加湿手段と送風手段とを設け、この送風手段はケーシングに電動機を設け、この電動機の回転軸にシロッコファンを備え、前記排気口近傍の前記ケーシングに静電霧化手段を設けた構成とし、この静電霧化手段は風上側に吸込口を備え、風下側に吹出口を備え、前記吹出口と前記吸込口とが連通した連通路で、前記吹出口に対向する位置に静電霧化部分を設け、前記吹出口は略円筒形で風下側に切欠き部を有することにより、初期の目的を達成するものである。
【発明の効果】
【０００８】
以上のように本発明は、吸気口と排気口を有する本体ケースと、この本体ケース内で、前記吸気口から前記排気口に送風される送風路に加湿手段と送風手段とを設け、この送風手段はケーシングに電動機を設け、この電動機の回転軸にシロッコファンを備え、前記排気口近傍の前記ケーシングに静電霧化手段を設けた構成とし、この静電霧化手段は風上側に吸込口を備え、風下側に吹出口を備え、前記吹出口と前記吸込口とが連通した連通路で、前記吹出口に対向する位置に静電霧化部分を設け、前記吹出口は略円筒形で風下側に切欠き部を有するものであり、静電霧化手段の負イオン化された微細水滴の発生量を減らすことなく、加湿装置の運転音の低減ができるものである。
【０００９】
すなわち、静電霧化手段の風上側には吸込口を備え、風下側には吹出口を備え、吹出口と吸込口とが連通した連通路で、吹出口に対向する位置に静電霧化部分を設け、吹出口は略円筒形で風下側に切欠き部を有することにより、静電霧化部分で発生した運転音が吹出口の略円筒形の内部を通過するときに、円筒内で打ち消し合い静電霧化部で発生した運転音を低減するものである。
【００１０】
また、吹出口は略円筒形で風下側に切欠き部を有することにより、まず、送風手段により本体ケース内で加湿された空気が、吹出口の風上側である略円筒形の曲面に当たり、次に、略円筒形の両曲面に沿って流れ、風下側の切欠き部近傍で合流し、排気口より室内に送風されるが、風下側の切欠き部近傍で合流する加湿された空気によって、静電霧化手段の吸込口に流れ込んだ空気が、吹出口の風下側の切欠き部から誘引されることとなり、これらの結果により、静電霧化手段の負イオン化された微細水滴の発生量を減らすことがなく、加湿装置の運転音を低減することができるものである。
【発明を実施するための最良の形態】
【００１１】
以下、本実施形態を添付図面を用いて説明する。
【００１２】
（実施の形態１）
図１〜８に示すように、本実施形態の加湿装置は、本体ケース１の側面には吸気口２を、天面には排気口３を有している。この本体ケース１内で、吸気口２から排気口３に送風される送風路４に加湿手段５を設け、この加湿手段の下流側に送風手段９を備えている。具体的には排気口３の下部で、吸気口２と対向する位置に送風手段９を設け、この送風手段の下部に加湿手段５を備えている。
【００１３】
加湿手段５は回転可能に設けた円筒形状の加湿フィルター６と、この加湿フィルター６の下端部に給水する水槽７と、前記加湿フィルター６を回転させる回転手段８とにより構成している。
【００１４】
送風手段はケーシング１０と、このケーシング１０に配設された電動機１１と、この電動機１１の回転軸に固定されたシロッコファン１２とにより構成している。
【００１５】
ケーシング１０は前記電動機１１の固定面と同一面に開口部を有し、この開口部に静電霧化手段１３を容易に着脱することができる。
【００１６】
本実施形態において特徴は、排気口近傍のケーシングに設けられた静電霧化手段１３の構造である。
【００１７】
この静電霧化手段１３は、吸込口１４と吹出口１５とを備えており、これらの吸込口１４と吹出口１５とを連通した連通路１６に静電霧化部１７を設けている。具体的には吸込口１４と吹出口１５とは、ケーシング１０の電動機１１の固定面と同一面である吹出風路の内面に、風向と平行で一直線になるように設けたものである。そして、吸込口１４と吹出口１５とを連通した連通路１６をケーシング１０の吹出風路の外面に備え、この連通路１６内で吹出口１５に対向する位置に静電霧化部１７を設けている。すなわち、静電霧化手段１３の吸込口１４に送風された空気が、吸込口１４と吹出口１５とを連通した連通路１６に流れ込み、連通路１６内の静電霧化手段１３を介し吹出口１５よりケーシング１０の吹出風路内に流れ出すものである。
【００１８】
このように、電動機１１の固定面と同一面である吹出風路の内面に吸込口１４と吹出口１５とを設けることにより、主板側の羽根部分は、オリフィス側の羽根部分に比べ送風量が少ないので、ケーシング１０の吹出風路内で最も風速の遅い吹出風路面に吸込口１４と吹出口１５を設けることとなり、吸込口１４と吹出口１５に空気が当たることにより発生する風切り音を軽減することが出来る。
【００１９】
更に、吸込口１４と吹出口１５とを風向と平行である一直線上に設けることにより、空気が吸込口１４に送風された後、吹出口１５に空気が当たることとなり、吹出口１５に当たる空気は減少するので、吹出口１５に空気が当たることにより発生する風切り音を軽減することが出来る。
【００２０】
また、吹出口１５に対向する位置に静電霧化部１７を設けているので、吹出口１５は略円筒形で風下側に切欠き部１８を有することにより、静電霧化部１７で発生した運転音が吹出口１５の略円筒形の内部を通過するときに、円筒内で打ち消し合い静電霧化部１７で発生した運転音を低減することが出来る。
【００２１】
また、吸込口１４はケーシング１０の吹出風路の風上側に設けられ、ケーシングの吹出風路の内面より内側方向に突出すると共に下面である風上側に開口１９を備えている。この吸込口の開口１９はケーシング１０の吹出風路の内面の隣り合う２面と、この２面を繋ぐ傾斜面部により形成された略三角形状である。
【００２２】
このように、吸込口１４はケーシングの吹出風路の風上側に設けられ、ケーシングの吹出風路の内面より内側方向に突出すると共に下面である風上側に開口１９を備えているので、ケーシング１０の吹出風路を流れる空気が吹出風路の内面に沿って吸込口１４の開口１９に流れ込むことにより、吸込口１４の開口端面に当たることにより発生する風切り音を軽減することが出来る。
【００２３】
更に、吸込口１４の開口１９はケーシング１０の吹出風路の内面の隣り合う２面と、この２面を繋ぐ傾斜面部により形成されているので、ケーシング１０の吹出風路のを流れる空気が吹出風路の内面である隣り合う２面に沿って吸込口１４の開口１９に流れ込むことにより、吸込口１４の開口端面に当たることにより発生する風切り音を更に軽減することが出来る。
【００２４】
また、吹出口１５はケーシング１０の吹出風路の風下側に設けられ、ケーシングの吹出風路の内面より内側水平方向に突出すると共に略円筒形で風下側に切欠き部を設けている。この吹出口１５の切欠き部１８はケーシングの吹出風路の内面から所定の距離を有した位置から先端方向に広がった略台形形状である。また、吹出口１５の風上側には略円弧形状の風向部２０を備えている。具体的には、この風向部２０は吹出口１５の根元部分であるケーシングの吹出風路の内面と吹出口が連結した部分から、吹出口の先端までを略円弧形状に繋いだものである。
【００２５】
このように、吹出口１５はケーシングの吹出風路の風下側に設けられ、略円筒形で風下側に切欠き部１８を設けているので、送風手段により本体ケース１内で加湿された空気が、吹出口１５の風上側である略円筒形の曲面に当たり、次に、略円筒形の両曲面に沿って流れ、風下側の切欠き部１８近傍で合流し、排気口３より室内に送風されるが、風下側の切欠き部近傍で合流する加湿された空気によって、静電霧化手段１３の吸込口１４に流れ込んだ空気が、吹出口１５の風下側の切欠き部１８から誘引されることとなり、これらの結果により、静電霧化手段１３の負イオン化された微細水滴の発生量を減らすことがなく、加湿装置の運転音を低減することができる。
【００２６】
また、吹出口１５はケーシング１０の吹出風路の内面より内側水平方向に突出するので、送風手段９により本体ケース１内で加湿された空気の流れと、吹出口先端の略円筒の孔の向きが９０度ずれることとなり、吹出口先端の略円筒の孔から加湿された空気が流れ込みにくいので、静電霧化手段１３の負イオン化された微細水滴の発生量を減らすことを抑制できる。
【００２７】
また、吹出口１５の切欠き部１８はケーシングの吹出風路の内面から所定の距離を有した位置から先端方向に広がった略台形形状であるので、ケーシングの吹出風路の内面から所定の距離を有した位置までは切欠き部が無く円筒形の孔なので、この部分で静電霧化部分で発生した音波が干渉することにより運転音を低減する。そして、その先の切欠き部１８より負イオン化された微細水滴が吹出すもので、送風手段９により本体ケース１内で加湿された空気が、吹出口１５の風上側である略円筒形の曲面に当たり、次に、略円筒形の両曲面に沿って流れ、風下側の切欠き部近傍で合流し、排気口３より室内に送風されるが、風下側の切欠き部１８近傍で合流する加湿された空気によって、水平方向へ流れる負イオン化された微細水滴を含む空気を切欠き部１８から誘引されることとなるので、吹出口１５の先端部分に近づくにつれて多くの負イオン化された微細水滴を含む空気が誘引される。そこで、切欠き部１８は先端方向に広がった略台形形状なので、先端部分に近づくにつれて多くの微細水滴が切欠き部１８を通過し易くなり、静電霧化手段１３の負イオン化された微細水滴の発生量を減らすことを抑制できる。
【００２８】
また、吹出口１５の風上側には略円弧形状の風向部２０を備えており、この風向部２０は吹出口１５の根元部分であるケーシングの吹出風路の内面と吹出口１５が連結した部分から、吹出口１５の先端までを略円弧形状に繋いだものであるので、ケーシングの吹出風路の内面に沿って流れる本体ケース内で加湿された空気が、風向部に沿って吹出口１５の先端に流れることとなり、吹出口１５の先端の略円筒の孔から負イオン化された微細水滴を含む空気を誘引することが出来、静電霧化手段１３の負イオン化された微細水滴の発生量を減らすことを抑制できる。
【産業上の利用可能性】
【００２９】
以上のように本発明は、吸気口と排気口を有する本体ケースと、この本体ケース内で、前記吸気口から前記排気口に送風される送風路に加湿手段と送風手段とを設け、この送風手段はケーシングに電動機を設け、この電動機の回転軸にシロッコファンを備え、前記排気口近傍の前記ケーシングに静電霧化手段を設けた構成とし、この静電霧化手段は風上側に吸込口を備え、風下側に吹出口を備え、前記吹出口と前記吸込口とが連通した連通路で、前記吹出口に対向する位置に静電霧化部分を設け、前記吹出口は略円筒形で風下側に切欠き部を有するものであり、静電霧化手段の負イオン化された微細水滴の発生量を減らすことなく、加湿装置の運転音の低減をすることができるものである。
【００３０】
すなわち、静電霧化手段の風上側には吸込口を備え、風下側には吹出口を備え、吹出口と吸込口とが連通した連通路で、吹出口に対向する位置に静電霧化部分を設け、吹出口は略円筒形で風下側に切欠き部を有することにより、静電霧化部分で発生した運転音が吹出口の略円筒形の内部を通過するときに、円筒内で打ち消し合い静電霧化部で発生した運転音を低減するものである。
【００３１】
また、吹出口は略円筒形で風下側に切欠き部を有することにより、まず、送風手段により本体ケース内で加湿された空気が、吹出口の風上側である略円筒形の曲面に当たり、次に、略円筒形の両曲面に沿って流れ、風下側の切欠き部近傍で合流し、排気口より室内に送風されるが、風下側の切欠き部近傍で合流する加湿された空気によって、静電霧化手段の吸込口に流れ込んだ空気が、吹出口の風下側の切欠き部から誘引されることとなり、これらの結果により、静電霧化手段の負イオン化された微細水滴の発生量を減らすことがなく、加湿装置の運転音を低減することができるものである。
【００３２】
従って、家庭用や事務所用などの、加湿装置として活用が期待されるものである。
【図面の簡単な説明】
【００３３】
【図１】本発明の実施の形態１の加湿装置の静電霧化手段を示す断面図
【図２】同加湿装置の静電霧化手段の斜視図
【図３】同加湿装置の正面断面図
【図４】同加湿装置の側面断面図
【図５】同加湿装置の静電霧化手段の概略図
【図６】同加湿装置の静電霧化手段の説明図
【図７】同加湿装置の静電霧化手段の説明図
【図８】同加湿装置の静電霧化手段の側面図
【図９】従来の加湿装置の正面断面図
【図１０】従来の加湿装置の背面図
【図１１】従来の加湿装置の静電霧化手段を示す断面図
【符号の説明】
【００３４】
１    本体ケース
２    吸気口
３    排気口
４    送風路
５    加湿手段
６    加湿フィルター
７    水槽
８    回転手段
９    送風手段
１０  ケーシング
１１  電動機
１２  シロッコファン
１３  静電霧化手段
１４  吸込口
１５  吹出口
１６  連通路
１７  静電霧化部
１８  切欠き部
１９  開口
２０  風向部
【図１】
2010101505.tif 000003
【図２】
2010101505.tif 000004
【図３】
2010101505.tif 000005
【図４】
2010101505.tif 000006
【図５】
2010101505.tif 000007
【図６】
2010101505.tif 000008
【図７】
2010101505.tif 000009
【図８】
2010101505.tif 000010
【図９】
2010101505.tif 000011
【図１０】
2010101505.tif 000012
【図１１】
2010101505.tif 000013